(57)【要約】【課題】  ボタンの押圧による入力作業を迅速且つスムースに行うことができるようにすること。【解決手段】  正面視横長な略長方形となる板状の本体１１と、この本体１１の短寸方向一端面に設けられた複数の第１のボタン１３と、本体１１の長手方向両端面にそれぞれ設けられた第２のボタン１４とを備えて携帯電話１０が構成されている。左手Ｌ及び右手Ｒの手の平に携帯電話１０を載せたときに、第１のボタン１３は、左手Ｌ及び右手Ｒの親指以外の各指先に略対応した位置に設けられている一方、第２のボタン１４は、左手Ｌ及び右手Ｒの親指の各指先に略対応した位置に設けられている。第１のボタン１３の押圧方向は、第２のボタン１４の押圧方向と交差する方向に沿うように設定されている。【選択図】      図１
2005222348.tif 000002
【特許請求の範囲】
【請求項１】
手の平に載せて所定の入力作業を行うことができる端末装置に設けられて当該端末装置にデータを入力する入力構造であって、
親指以外の指によって押圧される複数の第１のボタンと、親指によって押圧される一つ又は二つの第２のボタンとを含み、
前記第１のボタンの押圧方向は、第２のボタンの押圧方向と交差する方向に沿うように設定されている一方、各第１及び第２のボタンは、端末装置を手の平に載せたときに、各指先に略対応した位置にそれぞれ設けられていることを特徴とする端末装置の入力構造。
【請求項２】
前記各第１及び第２のボタンによる入力作業時に、端末装置が親指以外の指の付け根を跨ぐように位置することを特徴とする請求項１記載の端末装置の入力構造。
【発明の詳細な説明】
【技術分野】
【０００１】
本発明は、端末装置の入力構造に係り、更に詳しくは、ボタンを用いた入力作業の容易化を図ることができる端末装置の入力構造に関する。
【背景技術】
【０００２】
近時、メール機能付き携帯電話が広く普及するに至っており、当該メール機能により文字や文章の送受信が行われている。
この文章等の入力作業は、ダイヤルボタンを用いて通常行われており、具体的には、一方の手によって携帯電話を把持しつつ、その手の親指でダイヤルボタンを押圧することによって行われる。
つまり、親指一本だけで複数のダイヤルボタンを押圧するため、入力作業が煩雑になる他、当該作業に時間を要するという問題がある。
そこで、入力作業の迅速化を図るため、例えば、図２０に示されるタイプ（特許文献１参照）の携帯電話１００が知られている。
【０００３】
図２０において、携帯電話１００は、入力作業時に横向きとされ、正面側にディスプレイ１０１Ａ及びダイヤルボタン１０１Ｂを有する本体１０１と、この本体１０１の図中上端面に形成されて親指以外の各指により押圧される複数の上ボタン１０２と、本体１０１の図中下端面に形成されて親指により押圧される複数の下ボタン１０３とを備えて構成されている。このような構成によれば、両手の全ての指によって各ボタン１０２，１０３の操作を行えるようになる。
【０００４】
【特許文献１】特開２００３−１９８７０３号公報
【発明の開示】
【発明が解決しようとする課題】
【０００５】
しかしながら、特許文献１の構造にあっては、上ボタン１０２の押圧方向と、下ボタン１０３の押圧方向とが共に本体１０１の短寸方向（図２０中上下方向）に沿う方向となる。
このため、例えば、上ボタン１０２を人差し指によって押圧する場合、当該押圧力に抗して親指により上方に向かって押圧力を付与することが不可避となる。
換言すれば、親指以外の各指による上ボタン１０２の押圧操作時に、親指によって下ボタン１０３を不用意に押圧し易くなり、誤入力が増えて効率的な入力作業を行うことができないという不都合がある。
また、上ボタン１０２及び下ボタン１０３に指先をあてがうと、親指とそれ以外の指の位置及び動きの関係上、図２０に示されるように本体１０１を正面側から掴むような姿勢となり、入力作業時にディスプレイ１０１Ａが手により隠れて見難くなる。
しかも、本体１０１を掴んで把持する際、各指の指先がボタン１０２，１０３に触れた状態となるため、入力作業を行わない場合や入力作業時に押圧するボタン１０２，１０３が少ない場合、本体１０１の把持力が弱くなって当該本体１０１がぐらついたり、手から滑り落ちてしまうという不都合も招来する。
【０００６】
［発明の目的］
本発明は、このような不都合に着目して案出されたものであり、その目的は、ボタンの押圧による入力作業を迅速且つスムースに行うことができる端末装置の入力構造に関する。
【課題を解決するための手段】
【０００７】
前記目的を達成するため、本発明は、手の平に載せて所定の入力作業を行うことができる端末装置に設けられて当該端末装置にデータを入力する入力構造であって、
親指以外の指によって押圧される複数の第１のボタンと、親指によって押圧される一つ又は二つの第２のボタンとを含み、
前記第１のボタンの押圧方向は、第２のボタンの押圧方向と交差する方向に沿うように設定されている一方、各第１及び第２のボタンは、端末装置を手の平に載せたときに、各指先に略対応した位置にそれぞれ設けられる、という構成を採っている。
【０００８】
本発明において、前記各第１及び第２のボタンによる入力作業時に、端末装置が親指以外の指の付け根を跨ぐように位置する、という構成が好ましくは採用される。
【発明の効果】
【０００９】
本発明によれば、第１及び第２のボタンの押圧方向が交差する方向に沿うように設定されるので、例えば、人差し指や中指、薬指、小指によって第１のボタンを押圧するときに、これに抗する押圧力は端末装置の筐体等に直接付与されるようになる。従って、従来のように、人差し指等による第１のボタンの入力作業時に、親指によって第２のボタンに不用意な押圧力が付与されることを回避でき、これにより、親指以外の複数の指によって入力作業の迅速化を図ることが可能となる。
しかも、手の平に載せた状態で各指先に略対応する位置に第１及び第２のボタンが設けられるので、端末装置を裏面側から手の平で支持するように把持でき、各ボタンの押圧状態に拘わらず、端末装置を安定的に把持しながら入力作業をスムースに行うことが可能となる。更に、端末装置の正面側にディスプレイを設けた場合であっても、当該ディスプレイが手によって隠れることもない。
【００１０】
また、端末装置が親指以外の指の付け根を跨ぐように位置するので、手の平に載せた端末装置を指の腹等で抱え込むように安定して把持しつつ、ボタンを押圧するための指先の動作を楽に行うことが可能となる。
【発明を実施するための最良の形態】
【００１１】
以下、本発明の実施の形態について図面を参照しながら説明する。
【００１２】
［第１実施形態］
図１には、本発明の第１実施形態に係る入力構造が適用された携帯電話の概略正面図が示されている。この図において、端末装置としての携帯電話１０は、正面視横長な略長方形となる板状の本体１１と、この本体１１の短寸方向一端面（図１中上端面）に設けられた複数の第１のボタン１３と、本体１１の長手方向（同図中左右方向）両端面にそれぞれ設けられた第２のボタン１４とを備え、第１及び第２のボタン１３，１４による入力を図示しない制御部を介して所定処理可能に構成されている。
【００１３】
前記本体１１は、長手方向中央部にヒンジ部１６を備えており、いわゆる二つ折りタイプの公知の携帯電話に近似した構成が採用されている。本体１１の正面側において、ヒンジ部１６より左側領域には、液晶パネル等からなる表示部１７が設けられている一方、ヒンジ部１６より右側領域には、電話番号等を入力可能なダイヤルボタン１８が設けられている。また、本体１１の図１中左端と表示部１７との間にはスピーカ２０が設けられている一方、本体１１の同図中右端とダイヤルボタン１８との間にはマイク２１が設けられている。また、本体１１の図中左端面の上部側には、アンテナ２２が突設されている。
【００１４】
前記第１のボタン１３は、ヒンジ部１６を挟んで図中左右両方向に向かって四つずつ並設されている。具体的には、第１のボタン１３は、左手Ｌ及び右手Ｒの手の平に本体１１を載せたときに、左手Ｌ及び右手Ｒの人差し指、中指、薬指及び小指の各指先に略対応した位置に設けられている。
各第１のボタン１３は、本体１１の図中上端面から突出するように設けられ、本体１１内に埋没する方向（図中下方向）に押圧することで入力を行えるようになっている。
【００１５】
前記第２のボタン１４は、本体１１の左右方向両端面から突出するとともに、左手Ｌ及び右手Ｒの手の平に本体１１を載せ、親指以外の各指を第１のボタン１３に接触させたときに、それらの手Ｌ，Ｒの親指に略対応する位置にそれぞれ設けられている。
各第２のボタン１４は、本体１１内に埋没する方向すなわち図中横方向に押圧することで入力を行うことができる。従って、第２のボタン１４の押圧方向は、第１のボタン１３の押圧方向（図中下方向）と略直交するように設定されている。
【００１６】
以上の構成において、携帯電話１０のメール等における文章の入力作業は、左手Ｌ及び右手Ｒの手の平に本体１１を載せ、表示部１７が入力者の顔に向き合う状態で、第１及び第２のボタン１３，１４を押圧操作することにより行われる。
この際、左手Ｌ及び右手Ｒの各指先を、対応する第１及び第２のボタン１３，１４にそれぞれ配置したときに、左手Ｌ及び右手Ｒの親指以外の指の付け根Ｔに本体１１が跨るように位置することとなる。また、本体１１の下端側における左右のコーナー部が手の平における親指の腹に押さえられ、当該親指の腹と、第１のボタン１３に配置された親指以外の指先若しくはそれらの腹とにより携帯電話１０が上下方向から挟み込むように把持される。
この状態で、所定のデータを入力すべく第１のボタン１３を押圧した場合、当該押圧に抗する力は親指の腹によって本体１１の下端側から付与され、これによって本体１１が殆ど移動することなく入力が行われる。従って、第１のボタン１３による入力作業時に、親指の指先によって第２のボタン１４が不用意に押圧されることが回避される。
なお、第２のボタン１４の押圧時には、親指の腹によって本体１１の移動規制が行われる。
このように、各ボタン１３，１４により入力された文章等のデータは、表示部１７に表示され、これを視認しつつ各ボタン１３，１４による入力を行える。この際、表示部１７中の文字は、図示しない制御部を介して入力者に読み易い向きに設定される。
【００１７】
ここで、第１のボタン１３による具体的な文字データの入力方法として、図２中の表に示される入力パターンが例示できる。同表中、「●」が押圧することを示し、「○」が押圧しないことを示す。第１のボタン１３の「ａ」〜「ｆ」は、図１中符号１３ａ〜１３ｆで示される第１のボタンに対応するものである。すなわち、符号１３ａは左手Ｌの人差し指、符号１３ｂは左手Ｌの中指、符号１３ｃは左手Ｌの薬指、符号１３ｄは右手Ｒの薬指、符号１３ｅは右手Ｒの中指、符号１３ｆは右手Ｒの人差し指により押圧される第１のボタンである。
また、特に限定されるものでないが、左手Ｌの小指で押圧される第１のボタン１３ｇは、濁音、半濁音等の切り替え用とされ、右手Ｒの小指で押圧される第１のボタン１３ｈは、拗音、拗濁音、半拗濁音、促音等の切り替え用とされる。更に、左手Ｌの親指により押圧される第２のボタン１４は、表示部１７に表示されるメニューの切り替え用とされ、右手Ｒの親指により押圧される第２のボタン１４は、キーボードのＥｎｔｅｒキー（改行キー）に対応するボタンとされる。
このような入力パターンよれば、各ボタン１３，１４による入力作業に際し、主として、第１のボタン１３が押圧操作される一方、各第２のボタン１４が補助的な操作を行うためのボタンとなる。
なお、前述した入力パターンは、一例にすぎないものであり、押圧される各ボタン１３，１４の組み合わせは、一定の入力結果が得られる限りにおいて種々の変更が可能である。
【００１８】
従って、このような第１実施形態によれば、第１のボタン１３の入力作業時に、第２のボタン１４が不用意に押圧されることがなくなるため、入力者の集中力が高まることが期待される。しかも、両手の親指以外の８本の指によって主に入力が行われるため、作業の迅速化、効率化を達成することができる。
また、第１及び第２のボタン１３，１４の設置位置を前述のように設定したので、従来のように正面側から本体１１を把持すると、第２のボタン１４を親指により押圧できなくなり、入力者が入力作業を行う際、本体１１の裏面側を手の平に載せる把持姿勢となるように自然に促すことが可能となる。
【００１９】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００２０】
［第２実施形態］
図３には、本発明の第２実施形態に係る携帯電話１０の概略正面図が示されている。この第２実施形態は、本体１１の正面側におけるヒンジ部１６より右側領域にタッチパネル２５を設けたものである。このタッチパネル２５は、メニュー等を表示可能に設けられ、当該メニューを棒部材やペンの先端或いは指先により押圧することで電話番号をダイヤルしたり、携帯電話１０の種々の機能を利用することが可能となる。
【００２１】
［第３実施形態］
図４には、本発明の第３実施形態に係る携帯電話１０の概略正面図が示されている。この第３実施形態は、本体１１の上端側における左右の各コーナー部２７，２７を面取りした形状とし、これらコーナー部２７，２７に第２のボタン１４をそれぞれ突設させたものである。第２のボタン１４の押圧方向は、図４中斜め下方向（矢印Ａ方向）とされ、第１のボタン１３の押圧方向（同図中下方向）と交差するように設定されている。また、ヒンジ部１６の上部側にアンテナ２２が突設されている。
【００２２】
従って、このような第３実施形態によっても、第１実施形態と同様の作用、効果を得ることができる他、両手の親指及びそれ以外の各指が本体１１の上端に略揃った状態で入力を行うことができる。
【００２３】
［第４実施形態］
図５には、本発明の第４実施形態に係る携帯電話１０の概略正面図が示されている。この第４実施形態は、本体１１を図５中左右方向に伸縮可能な構成としたものである。この本体１１は、図５中右側に位置する挿入体２９と、同図中左側に位置するとともに、右端側から挿入体２９を収容する収容体３０とを備え、収容体３０内において挿入体２９を左右方向にスライド移動できるようになっている。
挿入体２９には、右手により押圧される第１及び第２のボタン１３，１４、ダイヤルボタン１８及びマイク２１が設けられている。一方、収容体３０には、左手により押圧される第１及び第２のボタン１３，１４、表示部１７、スピーカ２０及びアンテナ２２が設けられている。
【００２４】
従って、このような第４実施形態によれば、挿入体２９をスライド移動させることで本体１１の長手方向（図中左右方向）長さが変化するので、入力作業時における左手及び右手の間隔を調整することができる。
【００２５】
［第５実施形態］
図６には、本発明の第５実施形態に係る携帯電話１０の概略正面図が示されている。この第５実施形態は、本体１１を正面視略Ｌ字状に形成可能としたものである。この本体１１のヒンジ部１６は、その回転中心軸位置Ｃ１が本体１１の厚さ方向（図中紙面直交方向）に設定されている。従って、本体１１の左手で把持される左手把持部３２と、本体１１の右手で把持される右手把持部３３とが図６中矢印Ｂ方向に回転可能となる。なお、左手把持部３２及び右手把持部３３の前記矢印Ｂ方向に沿う角度は、それらを回転させることで調整できるようになっている。
【００２６】
従って、このような第５実施形態によれば、入力作業時に、左腕及び右腕の各肘が相互に離れた姿勢となり、本体１１が更に持ち易くなることが期待される。
【００２７】
［第６実施形態］
図７には、本発明の第６実施形態に係る携帯電話１０の概略正面図が示されている。この第６実施形態は、ヒンジ部１６を挟んで本体１１の右手で把持される右手把持部３６の向きを変更可能な構成としたものである。
すなわち、第６実施形態では、ヒンジ部１６の下側に回転支持部３７を設けている。右手把持部３６は、回転支持部３７を介して本体１１の左手で把持される左手把持部３８と同図中矢印Ｃ方向に相対回転可能とされる。従って、図７のように右手把持部３６及び左手把持部３８を回転した状態で本体１１を正面視しときに、右手把持部３６の第１のボタン１３は、本体１１の同図中右側に位置する一方、その反対側の同図中左側に左手把持部３８の第１のボタン１３が位置することとなる。
【００２８】
また、図７に示される状態で、右手把持部３６の正面側にも第２のボタン１４ａが突設されている。この第２のボタン１４ａは、右手Ｒにより右手把持部３６を持ち、親指以外の各指を第１のボタン１３に接触させたときに、右手Ｒの親指に略対応する位置に設けられている。また、第２のボタン１４ａは、本体１１内に埋没する方向すなわち図中紙面直交方向に押圧することで入力を行うことができ、その押圧方向が第１のボタン１３の押圧方向（図中横方向）と略直交する方向に沿うように設定されている。
なお、図７中符号３９はマイクであり、この裏側にも前述したマイク２１が設けられる。
【００２９】
従って、このような第６実施形態によれば、右手把持部３６が裏返しされるように向きを変えることが可能となるので、図７に示されるように、本体１１を縦方向に向けた状態で第１及び第２のボタン１３，１４を押圧操作することができる。
【００３０】
［第７実施形態］
図８には、本発明の第７実施形態に係る携帯電話１０の概略正面図が示されている。この第７実施形態では、第１実施形態に対し、ヒンジ部１６及びダイヤルボタン１８を省略するとともに、表示部１７をタッチパネルにより構成し、その左右幅を拡大した構成となっている。
【００３１】
［第８実施形態］
図９には、本発明の第８実施形態に係る携帯電話１０の概略正面図が示されている。この第８実施形態では、第７実施形態に対し、各第２のボタン１４の設置位置を変えたものである。すなわち、第２のボタン１４は、本体１１の正面側における上部各コーナー領域より突設され、各手の親指によって紙面直交方向に押圧可能となっている。
なお、前記各第２のボタン１４の設置位置は、本体１１の正面側で親指の指先により操作できる限りにおいて変更してもよく、例えば、本体１１の下部各コーナー領域としたり、本体１１の左右両端の中央近傍位置としてもよい。
このような構成によれば、第２のボタン１４を押圧したときに、その押圧力に抗する力を手の平側によって楽に付与することが可能となる。
【００３２】
［第９実施形態］
図１０〜図１２には、本発明の第９実施形態に係る端末装置としてのＰＤＡ４１（Ｐｅｒｓｏｎａｌ  Ｄｉｇｉｔａｌ  Ａｓｓｉｓｔａｎｔ）が示されている。この第９実施形態では、ＰＤＡ４１に、前述と同様の作用及び機能を発揮する第１及び第２のボタン１３，１４を設けたものである。
ＰＤＡ４１は、正面視横長な略長方形となる板状に形成されるとともに、正面側にタッチパネル等からなる表示部４２、スピーカ４３及びマイク４４を有する正面部４５と、この正面部４５の表示部４２と反対側の面に設けられた略直方体状の膨出部４７とを備えて構成されている。
【００３３】
前記膨出部４７の図１１中上端面には、第１実施形態と同様に複数の第１のボタン１３が設けられている一方、膨出部４７の同図中左右両側面には第２のボタン１４がそれぞれ設けられている。また、隣り合う第１のボタン１３の間には、片状をなすガード部材４８がそれぞれ設けられ、各ガード部材４８は、第１のボタン１３より高い突出高さに設定されている。また、膨出部４７の同図中右側面には、アンテナ４９が設けられている。
なお、膨出部４７、ガード部材４８、第１及び第２のボタン１３，１４及びアンテナ４９は、ＰＤＡ４１を正面視したときに、正面部４５の外周からはみ出さない位置及び大きさに形成されている。
【００３４】
従って、このような第９実施形態によれば、ＰＤＡ４１によっても、第１実施形態と同様の入力作業を行うことができる。
【００３５】
［第１０実施形態］
図１３〜図１５には、本発明の第１０実施形態に係るＰＤＡ４１が示されている。この第１０実施形態は、第９実施形態の膨出部４７の形状を変更したものである。
この膨出部４７は、背面側に一対の傾斜面５１，５１を備えている。これら傾斜面部５１，５１は、底面視（図１５参照）したときに、膨出部４７の左右方向中央部に向かって次第に膨出部４７の厚さが増すように形成されている。
このような構成によれば、各傾斜面５１，５１を両手の手の平にフィットさせ易くすることが可能となる。
【００３６】
［第１１実施形態］
図１６及び図１７には、本発明の第１１実施形態に係るＰＤＡ４１が示されている。この第１１実施形態では、第９実施形態に対し、正面部４５及び膨出部４７が相互に離れるように相対回転可能としたものである。すなわち、正面部４５及び膨出部４７は、それらの下端側に配置されたヒンジ部５３を介して連結され、これにより、図１７中矢印Ｄ方向に相対回転可能とされる。
このような構成によれば、膨出部４７を両手で持ったときに、正面部４５の表示部４２が見易いように角度調整を行うことができる。
【００３７】
［第１２実施形態］
図１８及び図１９には、本発明の第１２実施形態に係るＰＤＡ４１が示されている。この第１２実施形態では、第９実施形態に対し、正面部４５を二つ折り可能としたものである。この正面部４５は、左右方向中央部に背表紙と近似した作用を奏するヒンジ部５５を備え、このヒンジ部５５を挟んで左右一対の表示部４２，４２が設けられている。
【００３８】
また、図１９に示されるように、膨出部４７，４７は、ヒンジ部５５を挟んで左右両側にそれぞれ配置されている。各膨出部４７，４７は、一方の手の各指に対応する第１及び第２のボタン１３，１４がそれぞれ設けられている。具体的には、図１９中左側に位置する膨出部４７に右手用の各ボタン１３，１４が設けられ、同図中右側に位置する膨出部４７に左手用の各ボタン１３，１４が設けられている。
各膨出部４７，４７は、回転軸５６によって正面部４５に連結されている。回転軸５６は、その回転中心軸Ｃ２が紙面直交方向に設定され、膨出部４７を図１９中矢印Ｅ方向に回転させるようになっている。
【００３９】
従って、このような第１２実施形態によっても、第５実施形態と同様に、左腕及び右腕を楽な姿勢として各ボタン１３，１４による入力作業を行うことが可能となる。
【００４０】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００４１】
前記本体１１、正面部４５や膨出部４７の形状は、種々の設計変更が可能であり、例えば、正面視したときに、略楕円形状としたり、略多角形状としてもよい。
また、前記各実施形態において、端末装置を携帯電話１０若しくはＰＤＡ４１としたが、これに限られず、第１及び第２のボタン１３，１４による入力データを所定処理可能なその他の装置としてもよい。更に、携帯電話１０やＰＤＡ４１にケーブル等を介して接続されるボックス状或いは棒状の入力装置に、前記第１及び第２のボタン１３，１４を設けた構成としてもよい。
更に、第１及び第２のボタン１３，１４は、種々の設計変更が可能であり、例えば、ダイヤル状、ボール状或いはレバー状としたり、ポインティングデバイスと同様の構成としてもよい。
また、各ボタン１３，１４の設置数は、図示構成例に限られるものでなく、例えば、小指及び又は薬指によって押圧される第１のボタン１３を省略したり、二つ設けられた第２のボタン１４の何れか一方を省略してもよい。また、第１及び第２のボタン１３，１４は、一方の手だけで入力可能な設置数することも可能であるが、両手によって入力を行えるようにした方が、作業の効率化を図れる点で有利となる。
更に、前記第１ないし第８実施形態の携帯電話１０に第９実施形態と同様のガード部材４８を設けてもよい。また、二つ折りタイプの携帯電話１０では、折り畳み時に各ボタン１３，１４が本体１１の端面から突出しないように位置する一方、折り畳んだ状態から開放したときに、各ボタン１３，１４が本体１１の端面から自動的に突出する構成としてもよい。更に、各ボタン１３，１４が、本体１１の端面や膨出部４７の端面から突出しないように位置する構成に代替することもできる。
【産業上の利用可能性】
【００４２】
本発明は、主に、携帯電話等のボタンによる入力作業が行われる端末装置に利用される。
【図面の簡単な説明】
【００４３】
【図１】本発明の入力構造が適用された第１実施形態に係る携帯電話の概略正面図。
【図２】第１のボタンの入力パターンを示す表。
【図３】第２実施形態に係る携帯電話の概略正面図。
【図４】第３実施形態に係る携帯電話の概略正面図。
【図５】第４実施形態に係る携帯電話の概略正面図。
【図６】第５実施形態に係る携帯電話の概略正面図。
【図７】第６実施形態に係る携帯電話の概略正面図。
【図８】第７実施形態に係る携帯電話の概略正面図。
【図９】第８実施形態に係る携帯電話の概略正面図。
【図１０】第９実施形態に係るＰＤＡの概略正面図。
【図１１】図１０の背面図。
【図１２】図１１の右側面図。
【図１３】第１０実施形態に係るＰＤＡの概略背面図。
【図１４】図１３の右側面図。
【図１５】図１３の底面図。
【図１６】第１１実施形態に係るＰＤＡの概略背面図。
【図１７】図１６の右側面図。
【図１８】第１２実施形態に係るＰＤＡの概略正面図。
【図１９】図１８の背面図。
【図２０】従来例に係る携帯電話の概略正面図。
【符号の説明】
【００４４】
１０  携帯電話（端末装置）
１３  第１のボタン
１４  第２のボタン
４１  ＰＤＡ（端末装置）
Ｌ  左手
Ｒ  右手
Ｔ  付け根
【図１】
2005222348.tif 000003
【図２】
2005222348.tif 000004
【図３】
2005222348.tif 000005
【図４】
2005222348.tif 000006
【図５】
2005222348.tif 000007
【図６】
2005222348.tif 000008
【図７】
2005222348.tif 000009
【図８】
2005222348.tif 000010
【図９】
2005222348.tif 000011
【図１０】
2005222348.tif 000012
【図１１】
2005222348.tif 000013
【図１２】
2005222348.tif 000014
【図１３】
2005222348.tif 000015
【図１４】
2005222348.tif 000016
【図１５】
2005222348.tif 000017
【図１６】
2005222348.tif 000018
【図１７】
2005222348.tif 000019
【図１８】
2005222348.tif 000020
【図１９】
2005222348.tif 000021
【図２０】
2005222348.tif 000022